(57)【要約】【課題】従来に比して簡易な構成として準備や収納時の作業性を向上させるとともに破損しにくい心臓マッサージ訓練用器具を提供する。【解決手段】人体の心臓部を含む胸部に相当する部材であって、その上面からの圧迫によって圧縮可能な模擬胸部材２０と、前記模擬胸部材２０の下部に配置され、該模擬胸部材２０の心臓部２１直下に相当する位置の上面に浅溝部３１と深溝部３２が直交状に形成された基盤部材３０と、前記基盤部材３０の浅溝部３１と深溝部３２のいずれかに選択的に収容され前記模擬胸部材２０上面からの十分な圧迫による該模擬胸部材２０の圧縮力により音を発する発音部材４０とを含むことを特徴とする。【選択図】図３
2013097180.tif 000002
【特許請求の範囲】
【請求項１】
人体の心臓部を含む胸部に相当する部材であって、その上面からの圧迫によって圧縮可能な模擬胸部材と、
前記模擬胸部材の下部に配置され、該模擬胸部材の心臓部直下に相当する位置の上面に浅溝部と深溝部が直交状に形成された基盤部材と、
前記基盤部材の浅溝部と深溝部のいずれかに選択的に収容され前記模擬胸部材上面からの十分な圧迫による該模擬胸部材の圧縮力により音を発する発音部材とを含む
ことを特徴とする心臓マッサージ訓練用器具。
【請求項２】
前記発音部材が幅方向に湾曲した板ばね部材よりなる請求項１に記載の心臓マッサージ訓練用器具。
【請求項３】
前記模擬胸部材が合成樹脂発泡体よりなる請求項１又は２に記載の心臓マッサージ訓練用器具。
【請求項４】
前記模擬胸部材が硬度の異なる複数の合成樹脂発泡体よりなる請求項３に記載の心臓マッサージ訓練用器具。
【請求項５】
前記模擬胸部材が硬度の異なる複数の合成樹脂発泡体の配置の相違により圧縮力が変化する請求項４に記載の心臓マッサージ訓練用器具。
【請求項６】
前記浅溝部及び前記深溝部が人体の中心線に相当する前記模擬胸部材の中心線に対して斜め方向に配置されている請求項１ないし５のいずれか１項に記載の心臓マッサージ訓練用器具。
【発明の詳細な説明】
【技術分野】
【０００１】
本発明は、心臓マッサージの練習を行うための心臓マッサージ訓練用器具に関する。
【背景技術】
【０００２】
従来、心臓マッサージの練習を行う際には、等身大の人体模型の胸部に圧迫を感知するセンサを有する弾性部材が設けられた心臓マッサージ訓練用器具が用いられる。しかるに、等身大人体模型の訓練用器具は、巨大でかさばるため収納や持ち運びに不便である。しかも、センサ等の精密機器を備えるため、高価である。
【０００３】
そこで、近年では、上半身形状の人体模型からなる訓練用器具や、発泡合成樹脂により胸部を模式的に形成した訓練用器具等の小型で安価な訓練用器具が提案されている（例えば、特許文献１，２参照。）。
【０００４】
上半身形状の人体模型訓練用器具は、空気等の気体により膨張可能な上半身本体に、圧迫力が所定レベルを超えた時に音が発せられるインジケータを有する胸部プレートが取り付けられてなる。しかしながら、この訓練用器具では、使用前には本体を膨張させ、使用後には本体から空気を抜いて萎ませるという、繁雑な作業を必要とするものであった。
【０００５】
一方、胸部を模式的に形成した訓練用器具は、心臓マッサージに要する胸部沈下深さに相当する厚さより厚みのある発泡合成樹脂の胸部本体の中央部に形成された手のひら大の貫通孔に、上下方向に収縮及び復帰する空気室を有する独立気泡の合成樹脂発泡体を透明な軟質塩化ビニールフィルムで被覆し該フィルムに空気室への空気出入用及び検知用の弁を設けた押圧部を配設し、弁による空気出入を検知した際に笛等の音が発せられるものである。しかしながら、押圧部は心臓マッサージの訓練のために繰り返し圧迫されるため、合成樹脂発泡体を被覆している軟質塩化ビニールフィルムが簡単に変形したり破損したりする問題があった。
【先行技術文献】
【特許文献】
【０００６】
【特許文献１】特許第４６１０５５１号
【特許文献１】国際公開第２０１０／１４７１２９号
【発明の概要】
【発明が解決しようとする課題】
【０００７】
本発明は前記の点に鑑みなされたものであり、従来に比して簡易な構成として準備や収納時の作業性を向上させるとともに破損しにくい心臓マッサージ訓練用器具を提供するものである。
【課題を解決するための手段】
【０００８】
すなわち、請求項１の発明は、人体の心臓部を含む胸部に相当する部材であって、その上面からの圧迫によって圧縮可能な模擬胸部材と、前記模擬胸部材の下部に配置され、該模擬胸部材の心臓部直下に相当する位置の上面に浅溝部と深溝部が直交状に形成された基盤部材と、前記基盤部材の浅溝部と深溝部のいずれかに選択的に収容され前記模擬胸部材上面からの十分な圧迫による該模擬胸部材の圧縮力により音を発する発音部材とを含むことを特徴とする心臓マッサージ訓練用器具に係る。
【０００９】
請求項２の発明は、前記発音部材が幅方向に湾曲した板ばね部材よりなる請求項１に記載の心臓マッサージ訓練用器具に係る。
【００１０】
請求項３の発明は、前記模擬胸部材が合成樹脂発泡体よりなる請求項１又は２に記載の心臓マッサージ訓練用器具に係る。
【００１１】
請求項４の発明は、前記模擬胸部材が硬度の異なる複数の合成樹脂発泡体よりなる請求項３に記載の心臓マッサージ訓練用器具に係る。
【００１２】
請求項５の発明は、前記模擬胸部材が硬度の異なる複数の合成樹脂発泡体の配置の相違により圧縮力が変化する請求項４に記載の心臓マッサージ訓練用器具に係る。
【００１３】
請求項６の発明は、前記浅溝部及び前記深溝部が人体の中心線に相当する前記模擬胸部材の中心線に対して斜め方向に配置されている請求項１ないし５のいずれか１項に記載の心臓マッサージ訓練用器具に係る。
【発明の効果】
【００１４】
請求項１の発明に係る心臓マッサージ訓練用器具は、人体の心臓部を含む胸部に相当する部材であって、その上面からの圧迫によって圧縮可能な模擬胸部材と、前記模擬胸部材の下部に配置され、該模擬胸部材の心臓部直下に相当する位置の上面に浅溝部と深溝部が直交状に形成された基盤部材と、前記基盤部材の浅溝部と深溝部のいずれかに選択的に収容され前記模擬胸部材上面からの十分な圧迫による該模擬胸部材の圧縮力により音を発する発音部材とを含むため、構成が極めて簡易で準備や収納に繁雑な作業が不要となるとともに、繰り返しの使用にも耐え得る破損しにくい訓練用器具を提供することができる。
【００１５】
請求項２の発明は、請求項１において、前記発音部材が幅方向に湾曲した板ばね部材よりなるため、複雑で高価な装置を用いることなく安価かつ簡易な構成で発音させることができ、繰り返し圧迫されても破損する恐れがない。
【００１６】
請求項３の発明は、請求項１又は２において、前記模擬胸部材が合成樹脂発泡体よりなるため、成形が容易で製造コストを抑制することができる。
【００１７】
請求項４の発明は、請求項３において、前記模擬胸部材が硬度の異なる複数の合成樹脂発泡体よりなるため、対象に応じた訓練を容易に実施することができる。
【００１８】
請求項５の発明は、請求項４において、前記模擬胸部材が硬度の異なる複数の合成樹脂発泡体の配置の相違により圧縮力が変化するため、必要な圧縮力をより多様に変化させることができる。
【００１９】
請求項６の発明は、請求項１ないし５において、前記浅溝部及び前記深溝部が人体の中心線に相当する前記模擬胸部材の中心線に対して斜め方向に配置されているため、訓練者による圧迫位置がずれることがなく、均等に圧迫することができる。
【図面の簡単な説明】
【００２０】
【図１】本発明の一実施例に係る心臓マッサージ訓練用器具の斜視図である。
【図２】図１の心臓マッサージ訓練用器具を用いた訓練の模式図である。
【図３】図１の心臓マッサージ訓練用器具の要部分解斜視図である。
【図４】模擬胸部材の様々なバリエーションを表した側面図である。
【図５】分割可能な模擬胸部材の組み合わせを表した断面図である。
【図６】基盤部材の平面図である。
【図７】基盤部材の要部断面図である。
【図８】基盤部材の浅溝部に発音部材が収容された状態の斜視図である。
【図９】基盤部材の深溝部に発音部材が収容された状態の斜視図である。
【図１０】発音部材の斜視図である。
【図１１】訓練者と模擬胸部材の位置関係を表した模式図である。
【図１２】浅溝部に発音部材を配置した場合の発音部材近傍の要部断面図である。
【図１３】深溝部に発音部材を配置した場合の発音部材近傍の要部断面図である。
【発明を実施するための形態】
【００２１】
図１〜図３に示す本発明の一実施例に係る心臓マッサージ訓練用器具１０は、小型化及び実寸での心臓マッサージ訓練を可能とするために、等身大の人体の頭部及び胸部を含む上半身に相当する大きさからなり、模擬胸部材２０と、基盤部材３０と、発音部材４０とを含み、訓練者Ｔが模擬胸部材２０を介して圧迫することによって発音部材４０を発音させるものである。図１，２において、符号１１は各部材２０，３０，４０を収納するための箱本体、１２は箱本体１１に一体に形成された蓋体、１３は蓋体１２の内面部１２Ａに設けられた人体の頭部等をかたどった絵や模型等からなる人体模型部を表す。
【００２２】
模擬胸部材２０は、人体の心臓部を含む胸部に相当する部材であって、その上面からの圧迫によって圧縮可能に構成される。この模擬胸部材２０は、訓練者Ｔが心臓マッサージの訓練を行う際に圧迫する部分であり、心臓マッサージが有効となる十分な圧迫力を加えることによって、後述する発音部材４０を発音させることができる。実施例の模擬胸部材２０は、図１〜図３に示すように、直方体形状に形成され、必要に応じて表面の心臓部に相当する位置２１に心臓あるいはハートマーク等のイラスト等を印刷して、訓練者Ｔに圧迫位置を認識させやすくしておくとよい。なお、図の符号Ｌはが人体の中心線に相当する前記模擬胸部材の中心線である。
【００２３】
模擬胸部材２０の材質としては、人体を圧迫した場合に相当する弾力を備えるとともに、繰り返し圧迫を行った場合でも破損しにくい適宜の合成樹脂発泡体よりなり、例えばウレタンやポリエチレン等が好適に使用される。この模擬胸部材２０は、単一の合成樹脂発泡体、あるいは、硬度の異なる複数の合成樹脂発泡体によって形成することができる。図４は、模擬胸部材２０の様々なバリエーションを表したものである。
【００２４】
図４（ａ）に示す模擬胸部材２０Ａは、単一の合成樹脂発泡体により硬度を統一して形成した例である。この模擬胸部材２０Ａでは、成形が容易で製造コストを抑制することができる。
【００２５】
図４（ｂ）に示す模擬胸部材２０Ｂは、硬度の異なる２つの合成樹脂発泡体によって形成した例であり、厚みがほぼ等しい立方体形状の軟質模擬胸部材２２と硬質模擬胸部材２３とを積層して構成される。この模擬胸部材２０Ｂでは、軟質模擬胸部材２２と硬質模擬胸部材２３のいずれを上側に配置するかによって必要な圧迫力を異ならせるようにすることができる。すなわち、軟質模擬胸部材２２を上側にした場合は、硬質模擬胸部材２３を上側にした場合と比較して弱い圧迫力で後述する発音部材４０を発音させるのに十分な圧縮力を発生させることが可能となる。このように、硬度の異なる合成樹脂発泡体によって形成すれば、心臓マッサージの対象に子供を想定した場合に軟質模擬胸部材２２を上側に配置したり、成人を想定した場合に硬質模擬胸部材２３を上側に配置したりする等、配置の相違により対象に応じた訓練を容易に実施することができる。なお、硬度の異なる合成樹脂発泡体は、それぞれ異なる素材で構成してもよいし、同一の素材で硬度のみを異ならせるように構成してもよい。
【００２６】
図４（ｃ）に示す模擬胸部材２０Ｃは、硬度の異なる２つの合成樹脂発泡体により、境界部分を波状に形成した軟質模擬胸部材２４と硬質模擬胸部材２５とを積層した例である。この模擬胸部材２０Ｃにおいても、前記模擬胸部材２０Ｂと同様に、対象に応じた訓練を容易に実施することができる。
【００２７】
図４（ｄ）に示す模擬胸部材２０Ｄは、左右に分割可能な半胸部材２６，２７からなり、各半胸部材２６，２７が硬度の異なる２つの合成樹脂発泡体により形成された側面視直角三角形状の軟質模擬胸部材２８と硬質模擬胸部材２９とで直方体形状に形成された例である。この模擬胸部材２０Ｄは、図５に示すように、各半胸部材２６，２７の配置を組み替えることによって、硬度の異なる複数の合成樹脂発泡体の配置の相違により圧縮力を変化させるように構成することが可能となるので、必要な圧縮力をより多様に変化させることができる。
【００２８】
図５（ａ）は各半胸部材２６，２７の軟質模擬胸部材２８，２８を上面側かつ互いに当接させて配置した例、図５（ｂ）は各半胸部材２６，２７の硬質模擬胸部材２９，２９を上面側とするとともに軟質模擬胸部材２８，２８を互いに当接させて配置した例、図５（ｃ）は各半胸部材２６，２７の軟質模擬胸部材２８，２８を上面側とするとともに硬質模擬胸部材２９，２９を互いに当接させて配置した例、図５（ｄ）は各半胸部材２６，２７の硬質模擬胸部材２９，２９を上面側かつ互いに当接させて配置した例である。なお、半胸部材２６の軟質模擬胸部材２８または硬質模擬胸部材２９と、半胸部材２７の軟質模擬胸部材２８または硬質模擬胸部材２９とは、それぞれ同一の素材及び硬度とすることが好ましい。
【００２９】
基盤部材３０は、図３，６〜９に示すように、模擬胸部材２０の下部に配置され、該模擬胸部材２０の心臓部２１直下に相当する位置の上面に浅溝部３１と深溝部３２が直交状に形成される。この基盤部材３０の材質は特に限定されないが、重量、耐久性、取り扱いの容易性、製造コスト等の観点から、模擬胸部材２０と同様の合成樹脂発泡体でが使用される。なお、図において、符号３３は模擬胸部材２０の心臓部２１直下に相当する位置に形成された貫通孔である。
【００３０】
基板部材３０の浅溝部３１と深溝部３２は、図７に示すように、模擬胸部材２０の下面と後述する発音部材４０との距離（ｄ１，ｄ２）を調整するためのものである。浅溝部３１は、基板部材３０上面からの溝深さが浅く、模擬胸部材２０の下面と発音部材４０とを接近（ｄ１）させて配置することができる。一方、深溝部３２は、基板部材３０上面からの溝深さが浅溝部３１より深く、模擬胸部材２０の下面と発音部材４０とを離隔（ｄ２）させて配置可能とするものである。また、この基盤部材３０では、図６に示すように、浅溝部３１及び深溝部３２が人体の中心線に相当する模擬胸部材２０の中心線Ｌに対して斜め方向に配置されている。実施例では、浅溝部３１及び深溝部３２が中心線Ｌに対して約４５度の角度で配置されている。
【００３１】
発音部材４０は、図７〜図９に示すように、基盤部材３０の浅溝部３１と深溝部３２のいずれかに選択的に収容され模擬胸部材２０上面からの十分な圧迫による該模擬胸部材２０の圧縮力により音を発するものである。発音部材４０としては、訓練者Ｔが模擬胸部材２０を介して圧迫した際に発音するとともに、繰り返し圧迫を行った場合でも破損しにくい構成であれば特に限定されるものではない。実施例では、図１０に示すように、幅方向に湾曲した板ばね部材４１が使用される。この板ばね部材４１は、湾曲部４２を上側として配置され、模擬胸部材２０の圧縮力が作用することにより湾曲部４２が押圧変形されて発音し、圧縮力が作用しなくなるとばねの復元作用により元に戻るものである。このように、発音部材４０として板ばね部材４１を用いることにより、複雑で高価な装置を用いることなく、安価かつ簡易な構成で発音させることができ、圧迫により繰り返し押圧変形されても破損する恐れがない。
【００３２】
また、発音部材４０は、図７，８に示すように、基盤部材３０の浅溝部３１に収容して模擬胸部材２０の下面側に近接させることにより、小さい圧縮力でも発音させることが可能となる。一方、図７，９に示すように、基盤部材３０の深溝部３２に模擬胸部材２０の下面側から離隔させることにより、発音させるために大きな圧縮力を必要とするように構成することが可能となる。すなわち、発音部材４０の収容位置を浅溝部３１と深溝部３２のいずれかに選択することにより、発音させるために必要な圧縮力を容易に変化させることができる。これにより、模擬胸部材２０の合成樹脂発泡体の硬度や配置の相違による圧縮力の変化と適宜組み合わせれば、容易に圧縮力の多様化を図ることができる。
【００３３】
次に、当該心臓マッサージ訓練用器具１０の使用方法について説明する。以下の説明では、模擬胸部材２０として、図５に示す模擬胸部材２０Ｄを使用し、発音部材４０として、図１０に示す板ばね部材４１を使用するものとする。
【００３４】
まず、各部材２０，３０，４０が収納された箱本体１１を床等に載置し、図１に示すように、蓋体１２を開放させる。ここで、心臓マッサージの対象として子供等を想定して訓練する場合、図８及び図１２（ａ）に示すように、基盤部材３０の浅溝部３１に板ばね部材４１を収容して、各半胸部材２６，２７の軟質模擬胸部材２８，２８を上面側かつ互いに当接させて配置した模擬胸部材２０Ｄを基盤部材３０の上面に設置する。
【００３５】
次に、訓練者Ｔは、図２，１１に示すように、当該訓練用器具１０の左右いずれかの側方の位置に着き、模擬胸部材２０上面の略中心位置である心臓部２１に両手を乗せて、該心臓部２１の圧迫を行う。その際、訓練者Ｔが心臓部２１へ十分な圧迫を加えると、図１２（ｂ）に示すように、模擬胸部材２０Ｄ（軟質模擬胸部材２８及び硬質模擬胸部材２９）が下方に圧縮されて、模擬胸部材２０Ｄ下面が板ばね部材４１を押圧変形させる。これにより、板ばね部材４１は１回音を発し、訓練者Ｔが圧迫をやめて模擬胸部材２０Ｄの圧縮が解除されると、図１２（ａ）に示すように、板ばね部材４１の復元作用により元に戻される。以後、訓練者Ｔにより圧迫が繰り返し行われて十分な圧迫が加えられるたびに、板ばね部材４１が音を発して正常に心臓マッサージが行われていることを確認することができる。
【００３６】
一方、想定した対象を子供等から成人等に変更して訓練する場合、図９及び図１３（ａ）に示すように、基盤部材３０の深溝部３２に板ばね部材４１を収容して、各半胸部材２６，２７の軟質模擬胸部材２８，２８を上面側かつ互いに当接させて配置した模擬胸部材２０Ｄを基盤部材３０の上面に設置する。次に、図２，１１に示すように、対象に子供等を想定した場合と同様に、訓練者Ｔは、当該訓練用器具１０の左右いずれかの側方の位置に着き、模擬胸部材２０上面の略中心位置である心臓部２１に両手を乗せて、該心臓部２１の圧迫を行う。
【００３７】
ここで、板ばね部材４１は、深溝部３２に収容されて浅溝部３１に収容された場合より模擬胸部材２０下面との距離が離れている。そのため、訓練者Ｔが浅溝部３１に収容された場合より大きな圧迫力を心臓部２１へ加えることによって、図１３（ｂ）に示すように、模擬胸部材２０Ｄ（軟質模擬胸部材２８及び硬質模擬胸部材２９）を介して板ばね部材４１を押圧変形させて発音させることができる。そして、訓練者Ｔが圧迫をやめると、図１３（ａ）に示すように、板ばね部材４１の復元作用により元に戻され、以後、訓練者Ｔにより圧迫が繰り返し行われて十分な圧迫が加えられるたびに、板ばね部材４１が音を発して正常に心臓マッサージが行われていることを確認することができる。
【００３８】
また、この訓練用器具１０では、図６，１１に示すように、浅溝部３１及び深溝部３２が模擬胸部材２０の中心線Ｌに対して斜め方向に配置されていることから、浅溝部３１及び深溝部３２が当該訓練用器具１０の側方から圧迫する訓練者Ｔに対して斜め方向に配置された位置関係となる。従って、発音部材４０を浅溝部３１と深溝部３２のいずれに収容した場合であっても、訓練者Ｔによる圧迫位置がずれることがなく、均等に圧迫することができる。
【００３９】
なお、訓練を終了する際には、当該訓練用器具１０を使用した状態のまま、蓋体１２を閉じるだけでよい。
【００４０】
以上図示し説明したように、本発明の心臓マッサージ訓練用器具１０は、基盤部材３０の浅溝部３１と深溝部３２のいずれかに発音部材４０を選択的に収容して基盤部材３０の上面に模擬胸部材２０を設置するだけで訓練を実施することが可能であるため、構成が極めて簡易で準備や収納に繁雑な作業が不要となる。
【００４１】
また、この訓練用器具１０では、従来のように訓練者Ｔが圧迫を加える部位に破損しやすい軟質塩化ビニールフィルム等の部材を使用する必要がなく、人体の心臓部を含む胸部に相当する部材である模擬胸部材２０を上面から圧迫するだけで訓練が可能であるため、繰り返しの使用にも耐え得る破損しにくい訓練用器具を提供することができる。
【００４２】
なお、本発明の心臓マッサージ訓練用器具は、前述の実施例のみに限定されるものではなく、発明の趣旨を逸脱しない範囲において構成の一部を適宜に変更して実施することができる。例えば、実施例では、模擬胸部材を硬度の異なる２つの合成樹脂発泡体によって形成したが、必要に応じて硬度の異なる３つ以上の合成樹脂発泡体によって形成することができる。
【符号の説明】
【００４３】
１０    心臓マッサージ訓練用器具
２０    模擬胸部材
２１    心臓部
３０    基盤部材
３１    浅溝部
３２    深溝部
４０    発音部材
４１    板ばね部材
Ｌ      模擬胸部材の中心線
Ｔ      訓練者
【図１】
2013097180.tif 000003
【図２】
2013097180.tif 000004
【図３】
2013097180.tif 000005
【図４】
2013097180.tif 000006
【図５】
2013097180.tif 000007
【図６】
2013097180.tif 000008
【図７】
2013097180.tif 000009
【図８】
2013097180.tif 000010
【図９】
2013097180.tif 000011
【図１０】
2013097180.tif 000012
【図１１】
2013097180.tif 000013
【図１２】
2013097180.tif 000014
【図１３】
2013097180.tif 000015